(57)【特許請求の範囲】
【請求項１】
それぞれ異なる色のバリエーションを使用可能である基本的な時計の構成部品のアセンブリを形成する方法であって、
前記基本的な構成部品の少なくとも一部は、互いに同じ色であり、該互いに同じ色である構成部品以外のすべての基本的な構成部品は、前記互いに同じ色以外の色であって、かつ、そのすべてが異なり、
各前記基本的な構成部品のランダムな選択を、前記アセンブリの完成品が得られるまで行い、これによって少なくとも２つの前記基本的な構成部品が異なる色となることを特徴とする、基本的な時計の構成部品のアセンブリを形成する方法。
【請求項２】
各前記基本的な構成部品のランダムな選択を、前記アセンブリの完成品が得られるまで行い、これによって前記基本的な構成部品の全てが異なる色となることを特徴とする、請求項１に記載の基本的な時計の構成部品のアセンブリを形成する方法。
【請求項３】
−第１の前記構成部品（Ｐ１）を、前記構成部品に使用可能な前記色のバリエーションの群からランダムに選択し、続いて、選択された第１の色（Ａ１）を前記構成部品（Ｐ１）用に記憶し；
−第２の前記構成部品（Ｐ２）を、前記構成部品に使用可能な前記色のバリエーションの群のうち、前記第１の構成部品（Ｐ１）用に選択した前記第１の色（Ａ１）を除いたものからランダムに選択し、このようにして前記構成部品（Ｐ２）用に選択された第２の色（Ａ２）を記憶し；
−前記構成部品（Ｐｉ）の前記総数（Ｎ）に達するまで、各前記構成部品（Ｐｉ）の選択を、バリエーションの群の、色がまだ選択されていない残りから連続して行い、このようにして前記他の構成部品（Ｐｉ）用に選択された他の色（Ａｉ）を記憶し、
−構成物が完成したら、前記アセンブリを形成するプロセスを停止する
ことを特徴とする、請求項１に記載の基本的な時計の構成部品のアセンブリを形成する方法。
【請求項４】
バリエーションの群の、色がまだ選択されていない残りから、１つの他の前記構成部品を選択するために、以下：
−各前記選択した構成部品の色を識別するための色認識手段、
−各前記選択した構成部品の前記色を記憶する記憶手段、
−各前記選択した構成部品の前記色を、過去に選択した前記構成部品の色と比較して、異なるかどうかを検査し、それが前記色と同一である場合にそれを却下し、この場合に、前記過去に選択した構成部品の前記色と異なる色が得られるまで、同じタイプの他の前記構成部品の別の色の部品を選択して、これを前記比較試験に供するための比較手段を使用することを特徴とする、請求項３に記載の基本的な時計の構成部品のアセンブリを形成する方法。
【請求項５】
前記却下は、前記選択した構成部品を、前記構成部品を除いたものと同じ色の同じバリエーションの群に戻すことにより行われることを特徴とする、請求項４に記載の基本的な時計の構成部品のアセンブリを形成する方法。
【請求項６】
前記同じ構成部品の異なる色の変形形態にそれぞれ対応する複数の群の中から、同じ色の同じバリエーションの群において前記アセンブリの各前記構成部品を選択するために、制御手段によって少なくとも１つの自動化されたマニピュレータを使用することを特徴とする、請求項５に記載の基本的な時計の構成部品のアセンブリを形成する方法。
【請求項７】
前記制御手段はまた、
−各前記選択した構成部品の色を識別するための色認識手段、
−各前記選択した構成部品の前記色を記憶する記憶手段、
−各前記選択した構成部品の前記色を、過去に選択した前記構成部品の色と比較して、異なるかどうかを検査し、それが前記色と同一である場合にそれを却下し、この場合に、前記過去に選択した構成部品の前記色と異なる色が得られるまで、同じタイプの他の前記構成部品の別の色の部品を選択して、これを前記比較試験に供するための比較手段を制御することを特徴とする、請求項６に記載の基本的な時計の構成部品のアセンブリを形成する方法。
【請求項８】
前記制御手段は、前記基本的な構成部品の少なくとも１つの構成部品をランダムに選択するための、ランダム制御手段を含むことを特徴とする、請求項６に記載の基本的な時計の構成部品のアセンブリを形成する方法。
【請求項９】
前記制御手段は、前記基本的な構成部品の少なくとも１つの構成部品をランダムに選択するための、前記ランダム制御手段を含み、前記アセンブリの形成を、各前記基本的な構成部品をランダムに選択することによって完遂することを特徴とする、請求項８に記載の基本的な時計の構成部品のアセンブリを形成する方法。
【請求項１０】
前記制御手段は、前記基本的な構成部品の前記変形形態の選択を、事前に又はリアルタイムでシミュレートし、これにより、複数の前記自動化されたマニピュレータによる同時選択を制御することを特徴とする、請求項８に記載の基本的な時計の構成部品のアセンブリを形成する方法。
【請求項１１】
前記制御手段は、前記構成部品の前記変形形態のランダムな順序での選択を制御することを特徴とする、請求項８に記載の基本的な時計の構成部品のアセンブリを形成する方法。
【請求項１２】
前記制御手段は、前記構成部品の前記変形形態の所望の順序での選択を制御することを特徴とする、請求項８に記載の基本的な時計の構成部品のアセンブリを形成する方法。
【請求項１３】
構成部品の所定の構成を有する時計アセンブリを組立てる方法であって、
前記時計アセンブリの予備組立品は、
基本的な構成部品の少なくとも一部は、互いに同じ色であり、該互いに同じ色である構成部品以外のすべての基本的な構成部品は、前記互いに同じ色以外の色であって、かつ、そのすべてが異なり、
各前記基本的な構成部品のランダムな選択を、前記予備組立品が得られるまで行い、これによって少なくとも２つの前記基本的な構成部品が異なる色となる前記予備組立品であり、
前記時計アセンブリの前記基本的な構成部品は、所望の順序で所定の位置に設定されることを特徴とする、時計アセンブリを組立てる方法。
【請求項１４】
各前記基本的な構成部品を選択するために、少なくとも１つの自動化されたマニピュレータを用い、前記マニピュレータは、前記時計アセンブリが備える構造上の所定の位置に、前記構成部品を直接的に、又は他の前記構成部品の少なくとも１つの上に組付けることによって間接的に、設置することを特徴とする、請求項１３に記載の時計アセンブリを組立てる方法。
【請求項１５】
少なくとも１つの前記基本的な構成部品は、前記基本的な構成部品の選択より遅れて、所定の位置に設置されることを特徴とする、請求項１３に記載の時計アセンブリを組立てる方法。
【請求項１６】
少なくとも１つの筐体と、１セットの針と、部品の所定の構成を有し、かつそれぞれ異なる色のバリエーションを使用可能である基本的な構成部品を含む少なくとも１つの時計アセンブリとを備える、腕時計の組立て方法であって、
前記基本的な構成部品の少なくとも一部は、互いに同じ色であり、
請求項１３に記載の組立て方法によって組み立てられた少なくとも１つの時計アセンブリを前記筐体に設置すること、及び、前記針のセットを続いて前記組立てられた時計アセンブリに設置することを特徴とする、腕時計の組立て方法。
【請求項１７】
前記筐体及び前記針のセットは、それぞれ所定の色で選択されること、そして、請求項１に記載の基本的な時計の構成部品のアセンブリを形成する方法によって前記少なくとも１つの時計アセンブリを形成する際、前記筐体又は前記針のセットの前記所定の色のいずれの構成部品も選択することが禁じられることを特徴とする、請求項１６に記載の腕時計の組立て方法。
【請求項１８】
少なくとも１つの筐体（２）と、１セットの針（３）と、部品の所定の構成を有し、かつそれぞれ異なる色のバリエーションを使用可能である基本的な構成部品（５）を含む少なくとも１つの時計アセンブリ（４）とを備える、腕時計（１）であって、
前記基本的な構成部品の少なくとも一部は、互いに同じ色であり、該互いに同じ色である構成部品以外のすべての基本的な構成部品は、前記互いに同じ色以外の色であって、かつ、そのすべてが異なり、
前記筐体（２）及び前記針のセット３はそれぞれ所定の色であること、並びに
前記少なくとも１つの時計アセンブリ（４）の前記基本的な構成部品（５）の全ては、互いに異なる色であると同時に、前記筐体（２）及び前記針のセット（３）の前記所定の色とも異なる色であること
を特徴とする、腕時計（１）。
【請求項１９】
前記筐体（２）と前記針のセット（３）とは、同一の前記所定の色であることを特徴とする、請求項１８に記載の腕時計（１）。
【発明の詳細な説明】
【技術分野】
【０００１】
本発明は、それぞれ異なる色のバリエーションを使用可能である基本的な時計の構成部品のアセンブリを形成する方法であって、上記異なる基本的な構成部品の少なくとも一部は、互いに同じ色とする腕時計に関する。
【０００２】
本発明はまた、部品の所定の構成を有する時計アセンブリの組立て方法にも関する。
【０００３】
本発明はまた、少なくとも１つの筐体と、１セットの針と、部品の所定の構成を有し、かつそれぞれ異なる色のバリエーションを使用可能である基本的な構成部品を含む少なくとも１つの時計アセンブリとを備える、腕時計の組立て方法であって、上記異なる基本的な構成部品の少なくとも一部は、互いに同じ色である、方法に関する。
【０００４】
本方法はまた、少なくとも１つの筐体と、１セットの針と、部品の所定の構成を有し、かつそれぞれ異なる色のバリエーションで使用可能である基本的な構成部品を含む少なくとも１つの時計アセンブリとを備える、腕時計であって、上記異なる基本的な構成部品の少なくとも一部は、互いに同じ色である、腕時計に関する。
【背景技術】
【０００５】
異なる外見で入手可能な構成部品のバッチから多種多様な構成部品を得るために、特定の製造バッチを所定の構成部品について作製することが一般的であるが、これは、ある時点において、互いに見分けることができないような同様の製品を市場に提供してしまうという欠点を有する。
【発明の概要】
【発明が解決しようとする課題】
【０００６】
本発明は、大量生産品には見えない個体群をランダムに生産して、最終的な製品において多様性を得るために、それぞれ複数の色又は異なる外見を使用可能である構成部品から、多色腕時計を生産するための工業的方法を提供することを提案する。
【課題を解決するための手段】
【０００７】
従って、本発明は、それぞれ複数の色又は異なる外見を使用可能である構成部品から、基本的な時計の構成部品のアセンブリを形成する方法であって、上記異なる基本的な構成部品の少なくとも一部は、互いに同じ色である、方法に関し、各上記基本的な構成部品のランダムな選択を、上記アセンブリの完成品が得られるまで行い、これによって少なくとも２つの基本的な構成部品が異なる色となることを特徴とする。
【０００８】
本発明はまた、構成部品の所定の構成を有する時計アセンブリを組立てる方法にも関し、上記時計アセンブリの予備組立品を、このタイプの形成方法によって形成することを特徴とし、上記時計アセンブリの上記基本的な構成部品は、所望の順序で所定の位置に設定されることを特徴とする。
【０００９】
本発明はまた、少なくとも１つの筐体と、１セットの針と、部品の所定の構成を有し、かつそれぞれ異なる色のバリエーションを使用可能である基本的な構成部品を含む少なくとも１つの時計アセンブリとを備える、腕時計の組立て方法であって、上記異なる基本的な構成部品の少なくとも一部は、互いに同じ色である、方法にも関し、上記組立て方法によって少なくとも１つの時計アセンブリを上記筐体に設置すること、及び、上記針のセットを続いて上記組立てられた時計アセンブリに設置することを特徴とする。
【００１０】
本方法はまた、少なくとも１つの筐体と、１セットの針と、部品の所定の構成を有し、かつそれぞれ異なる色のバリエーションを使用可能である基本的な構成部品を含む少なくとも１つの時計アセンブリとを備える、腕時計であって、上記異なる基本的な構成部品の少なくとも一部は、互いに同じ色である、腕時計にも関し、上記筐体及び上記針のセットはそれぞれ所定の色であること、並びに、上記少なくとも１つの時計アセンブリの上記基本的な構成部品の全ては、互いに異なる色であると同時に、上記筐体及び上記針のセットの上記所定の色とも異なる色であることを特徴とする。
【００１１】
本発明の他の特徴及び利点は、添付の図面を参照しつつ以下の詳細な説明を読むことで明らかになるであろう。
【図面の簡単な説明】
【００１２】
【図１】図１は、少なくとも１つの筐体と、１セットの針と、部品の所定の構成を有し、かつ基本的な構成部品を含む少なくとも１つの時計アセンブリとを備える、腕時計の、概略正面図である。
【図２】図２は、各上記選択した構成部品の色を識別するための色認識手段、各上記選択した構成部品の色を記憶する記憶手段、比較手段及び自動化されたマニピュレータ手段と恊働する、制御手段の概略図である。
【図３】図３は、そこから構成部品を選択して時計アセンブリを形成する、異なる色の基本的な構成部品のバッチの概略図である。
【発明を実施するための形態】
【００１３】
本発明は、大量生産品には見えない個体群をランダムに生産して、最終的な製品において多様性を得るために、それぞれ複数の色又は異なる外見を使用可能である構成部品から、多色腕時計を生産するための工業的方法を提供することを提案する。
【００１４】
本発明における「色」とは特定の外見を意味し、これは通常の意味での色であってよく、又は、材料の性質に、若しくは材料に適用される熱及び／若しくは表面処理に関連してよい。
【００１５】
本発明は、それぞれ異なる色のバリエーションを使用可能である基本的な時計の構成部品５のアセンブリ４を形成する方法であって、上記異なる基本的な構成部品５の少なくとも一部は、互いに同じ色とする方法に関し、各上記基本的な構成部品５のランダムな選択を、上記アセンブリ４の完成品が得られるまで行い、これによって少なくとも２つの基本的な構成部品５が異なる色となることを特徴とする。
【００１６】
本方法の代替実装形態によると、各上記基本的な構成部品５のランダムな選択を、上記アセンブリ４の完成品が得られるまで行い、これによって、基本的な構成部品５の全てが互いに異なる色となる。
【００１７】
本方法の代替実装形態によると、
−これらの構成部品５の中から、第１の上記構成部品（Ｐ１）を、上記構成部品に使用可能な上記色のバリエーションの群からランダムに選択し、続いて、選択された第１の色（Ａ１）を上記構成部品（Ｐ１）用に記憶し；
−第２の上記構成部品（Ｐ２）を、上記構成部品に使用可能な上記色のバリエーションの群のうち、上記第１の構成部品（Ｐ１）用に選択した上記第１の色（Ａ１）を除いたものからランダムに選択し、このようにして上記構成部品（Ｐ２）用に選択された第２の色（Ａ２）を記憶し；
−上記構成部品（Ｐｉ）の上記総数（Ｎ）に達するまで、各構成部品（Ｐｉ）の選択を、バリエーションの群の、色がまだ選択されていない残りから連続して行い、続いて、他の上記構成部品（Ｐｉ）用に選択された他の色（Ａｉ）を記憶し、
−構成物が完成したら、上記アセンブリを形成するプロセスを停止する。
【００１８】
本方法の代替実装形態によると、バリエーションの群の、色がまだ選択されていない残りから、別の上記構成部品５を選択するために、以下を使用する：
−各上記選択した構成部品の色を識別するための色認識手段１０、
−各上記選択した構成部品の色を記憶する記憶手段２０、
−各上記選択した構成部品の色を、過去に選択した構成部品の色と比較して、異なるかどうかを検査し、それが上記色と同一である場合にそれを却下し、この場合に、過去に選択した構成部品の色と異なる色が得られるまで、同じタイプの他の上記構成部品の別の変形形態を選択して、これを上記比較試験に供するための比較手段３０。
【００１９】
本方法の代替実装形態によると、上記却下は、上記選択した構成部品を、上記構成部品を除いたものと同じ色の同じバリエーションの群に戻すことにより行われる。
【００２０】
本方法の代替実装形態によると、上記同じ構成部品の異なる色の変形形態にそれぞれ対応する複数の群の中から、同じ色の同じバリエーションの群において上記アセンブリの各上記構成部品を選択するために、制御手段５０によって少なくとも１つの自動化されたマニピュレータ４０を使用する。
【００２１】
本方法の代替実装形態によると、上記制御手段５０はまた、
−各上記選択した構成部品の色を識別するための色認識手段１０、
−各上記選択した構成部品の色を記憶する記憶手段２０、
−各上記選択した構成部品の色を、過去に選択した構成部品の色と比較し、それが異なるかどうかを検査し、それが上記色と同一である場合にそれを却下し、過去に選択した構成部品の色と異なる色が得られるまで、同じタイプの他の上記構成部品の別の変形形態を選択して、これを上記比較試験に供するための比較手段３０
を制御する。
【００２２】
本方法の代替実装形態によると、上記制御手段５０は、上記ランダムな第１の基本的な構成部品の少なくとも１つのランダムな変形形態をランダムに除去するための、ランダム制御手段を含む。
【００２３】
本方法の代替実装形態によると、上記制御手段５０は、上記ランダムな第１の基本的な構成部品の少なくとも１つのランダムな変形形態をランダムに除去するための、ランダム制御手段を含み、上記アセンブリ４の上記構成を、各上記基本的な構成部品の各上記変形形態をランダムに選択することによって完遂する。
【００２４】
本方法の代替実装形態によると、上記制御手段５０は、上記基本的な構成部品の上記変形形態の選択を、事前に又はリアルタイムでシミュレートし、これにより、複数の自動化されたマニピュレータ４０による同時選択を制御する。
【００２５】
本方法の代替実装形態によると、上記制御手段５０は、上記構成部品の上記変形形態のランダムな順序での選択を制御する。
【００２６】
本方法の代替実装形態によると、上記制御手段５０は、上記構成部品の上記変形形態の所望の順序での選択を制御する。
【００２７】
本発明はまた、構成部品の所定の構成を有する時計アセンブリを組立てる方法にも関し、上記時計アセンブリの予備組立品を、このタイプの形成方法に従って形成することを特徴とし、上記時計アセンブリの上記基本的な構成部品は、所望の順序で所定の位置に設定されることを特徴とする。
【００２８】
本方法の代替実装形態によると、少なくとも１つの自動化されたマニピュレータ４０を用いて各上記基本的な構成部品５を選択し、また、上記マニピュレータは、上記時計アセンブリ４が備える構造７上の所定の位置に、上記構成部品５を直接的に、又は他の上記構成部品５の少なくとも１つの上に組付けることによって間接的に、設置する。
【００２９】
本方法の代替実装形態によると、少なくとも１つの基本的な構成部品５を所定の位置に設置することは、その選択に対して遅延して実行される。
【００３０】
本発明はまた、少なくとも１つの筐体２と、１セットの針３と、部品の所定の構成を有し、かつそれぞれ異なる色のバリエーションを使用可能である基本的な構成部品５を含む少なくとも１つの時計アセンブリ４とを備える、腕時計１の組立て方法であって、上記異なる基本的な構成部品の少なくとも一部は、互いに同じ色である、方法にも関し、上記組立て方法によって少なくとも１つの時計アセンブリ４を上記筐体２に設置すること、及び、上記針のセット３を続いて上記組立てられた時計アセンブリ４に設置することを特徴とする。
【００３１】
本方法の代替実装形態によると、上記筐体２及び上記針のセット３は、それぞれ所定の色で選択され、上記少なくとも１つの時計アセンブリ４を上述の形成方法に従って形成する際、上記筐体２又は上記針のセット３の上記所定の色のいずれの構成部品のいずれの変形形態を選択することも禁じられる。
【００３２】
本方法は更に、少なくとも１つの筐体２と、１セットの針３と、部品の所定の構成を有し、かつそれぞれ異なる色のバリエーションを使用可能である基本的な構成部品５を含む少なくとも１つの時計アセンブリ４とを備える、腕時計１であって、上記異なる色の基本的な構成部品５の少なくとも一部は、互いに同じ色である、腕時計１にも関する。
【００３３】
本発明によると、上記筐体２及び上記針のセット３はそれぞれ所定の色であり、上記少なくとも１つの時計アセンブリ４の上記基本的な構成部品５の全ては、互いに異なる色であると同時に、上記筐体２及び上記針のセット３の上記所定の色とも異なる色である。
【００３４】
特定の特徴によると、この筐体２と針のセット３とは、同一の上記所定の色である。
【００３５】
変形例では、腕時計１はブレスレット又はリストバンド６も含み、このブレスレット又はリストバンド６には、筐体２及び針のセット３の色と同様に、色を付けてよい。好ましくは、上記ブレスレット６、筐体２及び針のセット３は、同一の上記所定の色である。
【図１】
0005732486.tif 000002
【図２】
0005732486.tif 000003
【図３】
0005732486.tif 000004